(57)【特許請求の範囲】
【請求項１】
第１のビデオデータおよび第２のビデオデータを入力するビデオデータ入力部と、
上記ビデオデータ入力部で入力された上記第１のビデオデータおよび上記第２のビデオデータをミックスして出力ビデオデータを得るミックス部と、
上記ビデオデータ入力部と上記ミックス部との間に配置され、上記ミックス部に入力される上記第１のビデオデータおよび上記第２のビデオデータのビデオ形式を上記ミックス部で取り扱うビデオ形式に合わせる第１のビデオ形式変換部と、
上記ミックス部の出力側に配置され、上記ミックス部から出力された出力ビデオデータのビデオ形式を、出力ビデオ形式に合わせる第２のビデオ形式変換部と、
上記第１のビデオデータおよび上記第２のビデオデータのそれぞれのビデオ形式情報に基づいて、上記第１のビデオ形式変換部における上記第１のビデオデータおよび上記第２のビデオデータに対する変換動作を制御する制御部を備え、
上記ビデオデータ入力部は、複数のビデオデータから上記第１のビデオデータおよび上記第２のビデオデータを選択的に取り出すクロスポイント部を有し、
上記制御部は、上記クロスポイント部を制御して上記複数のビデオデータを順次取り出して上記複数のビデオデータのそれぞれのビデオ形式情報を持つテーブルの生成を制御し、
上記制御部は、上記クロスポイント部における上記第１のビデオデータおよび上記第２のビデオデータの取り出しを制御し、
上記制御部は、上記テーブルから上記第１のビデオデータおよび上記第２のビデオデータのそれぞれのビデオ形式情報を取得する
ビデオデータ処理装置。
【請求項２】
上記第１のビデオデータおよび上記第２のビデオデータは、それぞれ、垂直画素数が第１の値であって水平画素数が第２の値である第１のビデオ形式あるいは垂直画素数が上記第１の値であって水平画素数が第３の値である第２のビデオ形式のビデオデータであり、
上記ミックス部は、上記第１のビデオ形式または上記第２のビデオ形式を取り扱い、
上記出力ビデオ形式は、上記第１のビデオ形式あるいは上記第２のビデオ形式である
請求項１に記載のビデオデータ処理装置。
【請求項３】
上記第１の値は２１６０であり、上記第２の値は３８４０であり、上記第３の値は４０９６である
請求項２に記載のビデオデータ処理装置。
【請求項４】
上記ビデオデータは、４分割４Ｋモードのビデオデータである
請求項３に記載のビデオデータ処理装置。
【請求項５】
上記ミックス部は、
上記第１のビデオデータおよび上記第２のビデオデータをワイプによりミックスする
請求項３に記載のビデオデータ処理装置。
【請求項６】
上記ミックス部が上記第１のビデオ形式を取り扱うとき、ワイプ制御は、１６：９の形状で３８４０サイズの範囲内で遷移する
請求項５に記載のビデオデータ処理装置。
【請求項７】
上記ミックス部が上記第２のビデオ形式を取り扱うとき、ワイプ制御は、１６：９の形状で３８４０サイズの範囲内で遷移するか、１６：９の形状で４０９６サイズの範囲内で遷移するか、あるいは１７：９の形状で４０９６サイズの範囲内で遷移する
請求項５に記載のビデオデータ処理装置。
【請求項８】
第１のビデオデータおよび第２のビデオデータを入力するビデオデータ入力部と、
上記ビデオデータ入力部で入力された上記第１のビデオデータおよび上記第２のビデオデータをミックスして出力ビデオデータを得るミックス部と、
上記ビデオデータ入力部と上記ミックス部との間に配置され、上記ミックス部に入力される上記第１のビデオデータおよび上記第２のビデオデータのビデオ形式を上記ミックス部で取り扱うビデオ形式に合わせるビデオ形式変換部と、
上記第１のビデオデータおよび上記第２のビデオデータのそれぞれのビデオ形式情報に基づいて、上記ビデオ形式変換部における上記第１のビデオデータおよび上記第２のビデオデータに対する変換動作を制御する制御部を備え、
上記ビデオデータ入力部は、複数のビデオデータから上記第１のビデオデータおよび上記第２のビデオデータを選択的に取り出すクロスポイント部を有し、
上記制御部は、上記クロスポイント部を制御して上記複数のビデオデータを順次取り出して上記複数のビデオデータのそれぞれのビデオ形式情報を持つテーブルの生成を制御し、
上記制御部は、上記クロスポイント部における上記第１のビデオデータおよび上記第２のビデオデータの取り出しを制御し、
上記制御部は、上記テーブルから上記第１のビデオデータおよび上記第２のビデオデータのそれぞれのビデオ形式情報を取得する
ビデオデータ処理装置。
【発明の詳細な説明】
【技術分野】
【０００１】
本技術は、ビデオデータ処理装置およびビデオデータ処理方法に関し、詳しくは、ビデオデータをワイプなどによりミックスするビデオデータ処理装置およびビデオデータ処理方法に関する。
【背景技術】
【０００２】
従来、ビデオデータのミックス部を備えるエフェクトスイッチャが知られている（例えば、特許文献１参照）。
【先行技術文献】
【特許文献】
【０００３】
【特許文献１】特開２００８-１３１３８０号公報
【発明の概要】
【発明が解決しようとする課題】
【０００４】
本技術の目的は、ビデオ形式を異にするビデオデータをミックスする場合にあっても適切なミックス処理を可能とすることにある。
【課題を解決するための手段】
【０００５】
本技術の概念は、
第１のビデオデータおよび第２のビデオデータを入力するビデオデータ入力部と、
上記ビデオデータ入力部で入力された上記第１のビデオデータおよび上記第２のビデオデータをミックスして出力ビデオデータを得るミックス部と、
上記ビデオデータ入力部と上記ミックス部との間に配置され、上記ミックス部に入力される上記第１のビデオデータおよび上記第２のビデオデータのビデオ形式を上記ミックス部で取り扱うビデオ形式に合わせる第１のビデオ形式変換部と、
上記ミックス部の出力側に配置され、上記ミックス部で得られる出力ビデオデータのビデオ形式を、出力ビデオ形式に合わせる第２のビデオ形式変換部とを備える
ビデオデータ処理装置にある。【０００６】
本技術において、ビデオデータ入力部により、第１のビデオデータおよび第２のビデオデータが入力される。ミックス部により、ビデオデータ入力部で入力された第１のビデオデータおよび第２のビデオデータがミックスされ、出力ビデオデータが得られる。このミックスは、例えば、ワイプやディゾルブなどによるものとされる。【０００７】
第１のビデオ形式変換部により、ミックス部に入力される第１のビデオデータおよび第２のビデオデータのビデオ形式が、このミックス部が取り扱うビデオ形式に合わせられる。また、第２のビデオ形式変換部により、ミックス部で得られる出力ビデオデータのビデオ形式が、出力ビデオ形式に合わせられる。【０００８】
このように本技術においては、ミックス部において第１のビデオデータおよび第２のビデオデータがミックスされる際、これら第１のビデオデータおよび第２のビデオデータはこのミックス部で取り扱うビデオ形式とされる。そのため、ビデオ形式を異にするビデオデータをミックスする場合にあっても適切なミックス処理が可能となる。【０００９】
なお、本技術において、例えば、第１のビデオデータおよび第２のビデオデータは、それぞれ、垂直画素数が第１の値であって水平画素数が第２の値である第１のビデオ形式あるいは垂直画素数が第１の値であって水平画素数が第３の値である第２のビデオ形式のビデオデータであり、ミックス部は、第１のビデオ形式または第２のビデオ形式を取り扱い、出力ビデオ形式は、第１のビデオ形式あるいは第２のビデオ形式である、ようにされてもよい。【００１０】
この場合、例えば、第１の値は２１６０であり、第２の値は３８４０であり、第３の値は４０９６である、ようにされてもよい。そして、この場合、ビデオデータは、４分割４Ｋモードのビデオデータである、ようにされてもよい。ここで、４分割４Ｋモードは、例えば、スクエア・デビジョン（Square Division）規格、あるいは２サンプル・インターリーブ・デビジョン（2-Sample Interleave Division）規格である。【００１１】
また、本技術において、例えば、ミックス部は、第１のビデオデータおよび第２のビデオデータをワイプによりミックスする、ようにされてもよい。この場合、例えば、ミックス部が第１のビデオ形式を取り扱うとき、ワイプ制御は、１６：９の形状で３８４０サイズの範囲内で遷移する、ようにされてもよい。また、この場合、ミックス部が第２のビデオ形式を取り扱うとき、ワイプ制御は、１６：９の形状で３８４０サイズの範囲内で遷移するか、１６：９の形状で４０９６サイズの範囲内で遷移するか、あるいは１７：９の形状で４０９６サイズの範囲内で遷移する、ようにされてもよい。【００１２】
また、本技術において、例えば、第１のビデオデータおよび第２のビデオデータのそれぞれのビデオ形式情報に基づいて、第１のビデオ形式変換部における第１のビデオデータおよび第２のビデオデータに対する変換動作を制御する制御部をさらに備える、ようにされてもよい。これにより、第１のビデオデータおよび第２のビデオデータのそれぞれのビデオ形式は、第１のビデオ形式変換部において、ミックス部で取り扱うビデオ形式に合うように適切に変換される。【００１３】
この場合、例えば、制御部は、第１のビデオデータおよび第２のビデオデータのそれぞれのビデオ形式を検出する検出部から、第１のビデオデータおよび第２のビデオデータのそれぞれのビデオ形式情報を取得する、ようにされてもよい。また、この場合、ビデオデータ入力部は、複数のビデオデータから第１のビデオデータおよび第２のビデオデータを選択的に取り出すクロスポイント部を有し、制御部は、複数のビデオデータのそれぞれのビデオ形式情報を持つテーブルから、第１のビデオデータおよび第２のビデオデータのそれぞれのビデオ形式情報を取得する、ようにされてもよい。
【発明の効果】
【００１４】
本技術によれば、ビデオ形式を異にするビデオデータをミックスする場合にあっても適切なミックス処理が可能となる。なお、ここに記載された効果は必ずしも限定されるものではなく、本開示中に記載されたいずれかの効果であってもよい。
【図面の簡単な説明】
【００１５】
【図１】ビデオデータ処理装置の構成例を示すブロック図である。
【図２】ミックス部の構成を概略的に示す図である。
【図３】ディゾルブの場合およびワイプの場合におけるトランジション信号Ｔを説明するための図である。
【図４】第１のビデオ形式（３８４０画素）と第２のビデオ形式（４０９６画素）との間のビデオ形式の変換処理を説明するための図である。
【図５】クロスポイント部で取り出される２つのビデオデータ（入力Ａ、入力Ｂ）のビデオ形式情報をそのビデオデータから検出する例を説明するための図である。
【図６】クロスポイント部で取り出される２つのビデオデータ（入力Ａ、入力Ｂ）のビデオ形式情報をテーブルから得る場合のテーブル生成例を説明するための図である。
【図７】テーブルの一例を示す図である。
【図８】クロスポイント部で取り出される２つのビデオデータ（入力Ａ、入力Ｂ）のビデオ形式情報をテーブルから得る場合のテーブル生成例を説明するための図である。
【図９】クロスポイント部で取り出される２つのビデオデータ（入力Ａ、入力Ｂ）のビデオ形式情報をテーブルから得る場合のテーブル生成例を説明するための図である。
【図１０】テーブルの他の一例を示す図である。
【図１１】ミックス部ミックス部が３８４０動作の場合におけるビデオ形式変換の一例を示す図である。
【図１２】ミックス部ミックス部が４０９６動作の場合におけるビデオ形式変換の一例を示す図である。
【図１３】トランジション時のクロスポイント、ミックスの制御の概要を示す図である。
【図１４】トランジション時のクロスポイント、ミックスの制御の概要を示す図である。
【図１５】ミックス部が第１のビデオ形式（３８４０画素）を取り扱う場合におけるワイプ制御を説明するための図である。
【図１６】ミックス部が第２のビデオ形式（４０９６画素）を取り扱う場合におけるワイプ制御の例（その１）を説明するための図である。
【図１７】ミックス部が第２のビデオ形式（４０９６画素）を取り扱う場合におけるワイプ制御の例（その２）を説明するための図である。
【図１８】ミックス部が第２のビデオ形式（４０９６画素）を取り扱う場合におけるワイプ制御の例（その３）を説明するための図である。
【図１９】本技術のビデオデータ処理装置を適用し得るスイッチャの構成例を示すブロック図である。
【図２０】Ｍ/Ｅ部の構成例を示すブロック図である。
【図２１】ビデオデータ処理装置の他の構成例を示すブロック図である。
【図２２】４分割４Ｋモードのビデオデータの規格であるスクエア・デビジョン規格および２サンプル・インターリーブ・デビジョン規格を説明するための図である。
【図２３】スクエア・デビジョン規格の場合における第１のビデオ形式（３８４０画素）と第２のビデオ形式（４０９６画素）との間のビデオ形式の変換処理を説明するための図である。
【図２４】２サンプル・インターリーブ・デビジョン規格の場合における第１のビデオ形式（３８４０画素）と第２のビデオ形式（４０９６画素）との間のビデオ形式の変換処理を説明するための図である。
【図２５】サブイメージで使用する１１２５ラインの信号の基本構造を示す図である。
【発明を実施するための形態】
【００１６】
以下、発明を実施するための形態（以下、「実施の形態」とする）について説明する。なお、説明は以下の順序で行う。
１．実施の形態
２．変形例
【００１７】
＜１．実施の形態＞
［ビデオデータ処理装置］
図１は、実施の形態としてのビデオデータ処理装置１００の構成例を示している。このビデオデータ処理装置１００は、制御部１０１と、操作部１０２と、クロスポイント部１０３と、ビデオ形式変換部１０４と、ミックス部１０５と、ワイプ発生回路１０６と、ビデオ形式変換部１０７と、表示部１０８を有している。
【００１８】
制御部１０１は、ビデオデータ処理装置１００の各部の動作を制御する。制御部１０１は、例えば、クロスポイント部１０３にクロスポイント制御信号を供給し、ビデオ形式変換部１０４，１０７に変換制御信号を供給し、ワイプ発生回路１０６にワイプ制御信号を供給する。操作部１０２は、制御部１０１に接続されており、ユーザが操作入力を行うためのコントロールパネルなどである。表示部１０８は、制御部１０１に接続されており、ビデオデータ処理装置１００のステータスを表示し、さらには、ミックス部１０５のビデオ形式や出力ビデオ形式などのユーザ設定操作時において、設定便宜のためのＧＵＩを表示する。
【００１９】
クロスポイント部１０３は、複数のビデオデータから、ミックスすべき２つのビデオデータを選択的に取り出す。この複数のビデオデータは、それぞれ、４Ｋビデオデータである。この４Ｋビデオデータには、垂直画素数が２１６０であって水平画素数が３８４０の第１のビデオ形式のビデオデータ、あるいは垂直画素数が２１６０であって水平画素数が４０９６の第２のビデオ形式のビデオデータが含まれる。
【００２０】
ミックス部１０５は、クロスポイント部１０３で取り出される２つのビデオデータ（ミックス入力Ａ，Ｂ）をミックスして、出力ビデオデータを得る。ミックスには、例えば、ワイプ、ディゾルブなどによるミックスが含まれる。
【００２１】
図２は、ミックス部１０５の構成を概略的に示している。このミックス部１０５は、減算器１０５ａ、乗算器１０５ｂおよび加算器１０５ｃを持っている。減算器１０５ａは、ミックス入力Ｂからミックス入力Ａを減算して、減算出力「Ｂ−Ａ」を出力する。乗算器１０５ｂは、減算出力「Ｂ−Ａ」にトランジション信号Ｔを乗算して、乗算出力「Ｔ＊（Ｂ−Ａ）」を出力する。加算器１０５ｃは、ミックス入力Ａに乗算出力「Ｔ＊（Ｂ−Ａ）」を加算し、ミックス出力Ｐを得る。
【００２２】
このミックス出力Ｐは、以下の数式（１）で表される。
Ｐ＝Ａ＋Ｔ＊（Ｂ−Ａ）    ・・・（１）
トランジション信号Ｔは時間と共に変化する０〜１の値を持つ信号である。Ｔ＝０のとき、Ｐ＝Ａであり、Ｔ＝１のとき、Ｐ＝Ｂである。
【００２３】
ディゾルブの場合、図３（ａ）に示すように、トランジション信号Ｔは画面内で一様の値を持つ。ワイプの場合、図３（ｂ）に示すように、１の値を持つ部分の形状が時間と共に変化する。図示の例は、円形ワイプの例を示している。
【００２４】
この実施の形態では、このミックス部１０５において、ワイプによるミックスが行われるものとする。ミックス部１０５で取り扱うビデオ形式は、第１のビデオ形式あるいは第２のビデオ形式である。例えば、ユーザによる操作部１０２からの指定入力に基づいて、制御部１０１により、ミックス部１０５で取り扱うビデオ形式が設定される。
【００２５】
図１に戻って、ビデオ形式変換部１０４は、クロスポイント部１０３とミックス部１０５との間に配置されている。ビデオ形式変換部１０４は、クロスポイント部１０３で取り出される入力ビデオデータのビデオ形式を、ミックス部１０５で取り扱うビデオ形式に合わせる。ここで、ミックス部１０５で取り扱うビデオ形式と入力ビデオデータのビデオ形式が同じである場合には、入力ビデオデータに対して変換処理は行われず、入力ビデオデータがそのままミックス部１０５に送られる。
【００２６】
また、ミックス部１０５で取り扱うビデオ形式が第２のビデオ形式であって入力ビデオデータのビデオ形式が第１のビデオ形式である場合、入力ビデオデータのビデオ形式が第１のビデオ形式から第２のビデオ形式に変換される。この場合、図４（ａ）に示すように、水平方向の３８４０画素の両サイドに別の画素を付加することで４０９６画素化される。
【００２７】
また、ミックス部１０５で取り扱うビデオ形式が第１のビデオ形式であって入力ビデオデータのビデオ形式が第２のビデオ形式である場合、入力ビデオデータのビデオ形式が第２のビデオ形式から第１のビデオ形式に変換される。この場合、図４（ｂ）に示すように、水平方向の４０９６画素の両サイドを切り捨てることで３８４０画素化される。
【００２８】
制御部１０１は、クロスポイント部１０３で取り出される２つのビデオデータ（入力Ａ、入力Ｂ）のビデオ形式情報に基づいて、ビデオ形式変換部１０４における、これら２つのビデオデータに対する変換動作を制御する。
【００２９】
例えば、制御部１０１は、図５に示すように、これら２つのビデオデータのビデオ形式を検出する検出部１０８Ａ，１０８Ｂから、これら２つのビデオデータのビデオ形式情報を取得する。ここで、検出部１０８Ａ，１０８Ｂは、ミックス部１０５に接続されるバス上で、クロスポイント部１０３で選択された２つのビデオデータに付加されている識別子（ＩＤ）をビデオ形式情報として検出し、制御部１０１に送る。
【００３０】
この構成の場合、クロスポイント部１０３におけるビデオデータの切り替えに応じて、即時にビデオ形式変換部１０５の動作切り替えを行うことができる。また、この構成の場合、クロスポイント部１０３に入力される複数のビデオデータの全てのビデオ形式を検出する必要がない。
【００３１】
また、例えば、制御部１０１は、クロスポイント部１０３に入力される複数のビデオデータのそれぞれのビデオ形式情報を持つテーブルから、クロスポイント部１０３で取り出される２つのビデオデータ（入力Ａ、入力Ｂ）のビデオ形式情報を取得する。この場合、制御部１０１は、このテーブルを保持する。このテーブルへの複数のビデオデータのそれぞれのビデオ形式情報の保持は、例えば、以下の第１の方法、第２の方法あるいは第３の方法で行われる。
【００３２】
「第１の方法」
図６に示すように、ミックス部１０５に接続されるバスとは別に検出のための専用のバス１０９と検出部１１０が設けられる。そして、クロスポイント部１０３に入力される複数のビデオデータが順番にバス１０９に出力されるようにクロスポイントが順に切り替えられる。検出部１１０は、各ビデオデータに付加されている識別子（ＩＤ）をビデオ形式情報として検出し、制御部１０１に送る。
【００３３】
制御部１０１は、検出部１１０から送られてくる各ビデオデータの識別子（ＩＤ）に基づいて、クロスポイント部１０３に入力される複数のビデオデータのそれぞれのビデオ形式情報をテーブル１０１ａに保持する。基本的には、テーブル１０１ａは使用する前に作成されるが、使用中も検出部１１０における検出とテーブル１０１ａの書き換えは行われる。この第１の方法の場合、１個の検出部１１０を設けるだけで済む。
【００３４】
図７は、この第１の方法の場合におけるテーブル１０１ａの一例を示している。この例は、クロスポイント部１０３に入力されるビデオデータの個数が７個の場合を示している。テーブル１０１ａに保持されるビデオ形式情報は、例えば、水平方向の画サイズの他には、信号自体が無い（無信号：No Signal）、画サイズ不明（Unknown）、ＳＤなどの異フォーマット等が考えられる。なお、水平方向の画サイズの他は、Ｎ/Ａ（Not Available）とされてもよい。
【００３５】
「第２の方法」
図８に示すように、クロスポイント部１０３に、入力される複数のビデオデータのそれぞれに対応して複数の検出部１１１が設けられる。検出部１１１は、ビデオデータに付加されている識別子（ＩＤ）をビデオ形式情報として検出し、制御部１０１に送る。制御部１０１は、複数の検出部１１１から送られてくる各ビデオデータの識別子（ＩＤ）に基づいて、クロスポイント部１０３に入力される複数のビデオデータのそれぞれのビデオ形式情報をテーブル１０１ａに保持する。
【００３６】
基本的には、テーブル１０１ａは使用する前に作成されるが、使用中も検出部１１１における検出とテーブル１０１ａの書き換えは行われる。この第２の方法の場合、テーブル１０１ａに保持されるビデオ形式情報は、上述の第１の方法の場合と同様となる（図７参照）。この第２の方法の場合、クロスポイント部１０３より上流のルータなどでビデオデータが切り替えられた場合にも、即時にテーブル１０１ａの書き換えが行われる。
【００３７】
「第３の方法」
図９に示すように、ビデオデータに付加されている識別子（ＩＤ）を検出する検出部は設けられない。この第３の方法の場合、クロスポイント部１０３に入力される複数のビデオデータのそれぞれに対応した画サイズが、操作部１０２からユーザの手動で入力される。制御部１０１は、この入力情報に基づいて、クロスポイント部１０３に入力される複数のビデオデータのそれぞれのビデオ形式情報をテーブル１０１ａに保持する。基本的には、システム設置時に、クロスポイント部１０３に入力される複数のビデオデータのそれぞれの画サイズが指定される。
【００３８】
図１０は、この第３の方法の場合におけるテーブル１０１ａの一例を示している。この例は、クロスポイント部１０３に入力されるビデオデータの個数が７個の場合を示している。テーブル１０１ａに保持されるビデオ形式情報は、例えば、水平方向の画サイズの他には、Ｎ/Ａ（Not Available）とされる。
【００３９】
図１に戻って、ビデオ形式変換部１０７は、ミックス部１０５の出力側に配置されている。ビデオ形式変換部１０７は、ミックス部１０５で得られた出力ビデオデータのビデオ形式を、出力ビデオ形式に合わせる。この出力ビデオ形式は、第１のビデオ形式あるいは第２のビデオ形式である。例えば、ユーザによる操作部１０２からの指定入力に基づいて、制御部１０１により、出力ビデオ形式が設定される。
【００４０】
ここで、ミックス部１０５で取り扱うビデオ形式と出力ビデオ形式が同じである場合には、ミックス部１０５で得られる出力ビデオデータに対して変換処理は行われず、そのまま出力される。
【００４１】
また、ミックス部１０５で取り扱うビデオ形式が第１のビデオ形式であって出力ビデオ形式が第２のビデオ形式である場合、ミックス部１０５で得られる出力ビデオデータのビデオ形式が第１のビデオ形式から第２のビデオ形式に変換される。この場合、水平方向の３８４０画素の両サイドに別の画素を付加することで４０９６画素化される（図４（ａ）参照）。
【００４２】
また、ミックス部１０５で取り扱うビデオ形式が第２のビデオ形式であって出力ビデオ形式が第１のビデオ形式である場合、出力ビデオデータのビデオ形式が第２のビデオ形式から第１のビデオ形式に変換される。この場合、水平方向の４０９６画素の両サイドを切り捨てることで３８４０画素化される（図４（ｂ）参照）。
【００４３】
図１１は、ミックス部１０５で取り扱うビデオ形式が第１のビデオ形式である場合、つまりミックス部１０５が３８４０動作の場合におけるビデオ形式変換の一例を示している。クロスポイント部１０３から取り出される２つのビデオデータのうち、一方は第１のビデオ形式（３８４０＊２１６０）であり、他方は第２のビデオ形式（４０９６＊２１６０）である。
【００４４】
第１のビデオ形式のビデオデータはビデオ形式変換部１０４で変換されることなくそのままのビデオ形式でミックス部１０５に供給され、第２のビデオ形式のビデオデータはビデオ形式変換部１０４で第１のビデオ形式に変換されてミックス部１０５に供給される。そして、ミックス部１０５では、２つのビデオデータがワイプによりミックスされる。図示の例では、ワイプが１６：９の場合を示している。
【００４５】
出力ビデオ形式が第２のビデオ形式の場合、ミックス部１０５で得られる出力ビデオデータはビデオ形式変換部１０７で両サイドに別の画素が付加されて第２のビデオ形式に変換されて出力Ａ（４０９６）として出力される。一方、出力ビデオ形式が第１のビデオ形式の場合、ミックス部１０５で得られる出力ビデオデータはビデオ形式変換部１０７で変換されることなくそのまま出力Ｂ（３８４０）として出力される。
【００４６】
図１２は、ミックス部１０５で取り扱うビデオ形式が第２のビデオ形式である場合、つまりミックス部１０５が４０９６動作の場合におけるビデオ形式変換の一例を示している。クロスポイント部１０３から取り出される２つのビデオデータのうち、一方は第１のビデオ形式（３８４０＊２１６０）であり、他方は第２のビデオ形式（４０９６＊２１６０）である。
【００４７】
第２のビデオ形式のビデオデータはビデオ形式変換部１０４で変換されることなくそのままのビデオ形式でミックス部１０５に供給され、第１のビデオ形式のビデオデータはビデオ形式変換部１０４で第２のビデオ形式に変換されてミックス部１０５に供給される。そして、ミックス部１０５では、２つのビデオデータがワイプによりミックスされる。図示の例では、ワイプが１７：９の場合を示している。
【００４８】
出力ビデオ形式が第２のビデオ形式の場合、ミックス部１０５で得られる出力ビデオデータはビデオ形式変換部１０７で変換されることなくそのまま出力Ａ（４０９６）として出力される。一方、出力ビデオ形式が第１のビデオ形式の場合、ミックス部１０５で得られる出力ビデオデータはビデオ形式変換部１０７で両サイドがカットされて第１のビデオ形式に変換されて出力Ｂ（３８４０）として出力される。
【００４９】
図１に戻って、ワイプ発生回路１０６は、制御部１０１から供給されるワイプ制御信号に基づいて、上述したトランジション信号Ｔ（図２、図３参照）としてのワイプ信号を発生してミックス部１０５に送る。
【００５０】
図１３は、トランジション時のクロスポイント、ミックスの制御の概要を示している。トランジションとは場面転換のことである。図示の例では、入力１の状態から四角ワイプで入力２に切り替えている。トランジション終了時、（４）から（５）に切り替わっていることが分からないように、クロスポイントでの入れ替えとトランジション（ワイプのサイズ）の制御を同時に行う。（１）の開始前と（５）の切り替り直後は、どちらもミックス入力Ａが１００％出力される点では同じ状態である。ただし、クロスポイントでミックス入力Ａ，Ｂに送る信号が入れ替わっている点が異なる。
【００５１】
図１４も、図１３の例に対応した、トランジション時のクロスポイント、ミックスの制御の概要を示している。図１４（ａ）は、ミックス部１０５の出力を示している。また、図１４（ｂ）は、クロスポイント部１０３でミックス入力Ａ用に選択している信号を示し、図１４（ｃ）は、クロスポイント部１０３でミックス入力Ｂ用に選択している信号を示している。さらに、図１４（ｄ）は、ワイプ発生回路１０６がミックス部１０５に送るワイプ信号（トランジション信号Ｔ）を示している。
【００５２】
制御部１０１におけるワイプ制御は、ミックス部１０５が第１のビデオ形式を取り扱う場合には、１６：９の形状で３８４０サイズの範囲内で遷移するように行われる（３８４０ネイティブ）。つまり、１６：９のアスペクト比で、３８４０領域に合わせてワイプ信号が生成される。図１５（ａ）は、その場合におけるミックス部１０５の動作および第１のビデオ形式（３８４０画素）での出力信号を示している。また、図１５（ｂ）は、その場合における第２のビデオ形式（４０９６画素）での出力信号を示している。
【００５３】
この場合、ワイプは１６：９の領域で動作させるので、３８４０画素出力に問題はない。また、４０９６画素出力は、３８４０画素出力の両サイドに別の画像を付加した形になるので、とくに違和感はない。
【００５４】
制御部１０１におけるワイプ制御は、ミックス部１０５が第２のビデオ形式を取り扱う場合には、以下の第１の方法、第２の方法、第３の方法のいずれかで行われる。制御部１０１は、例えば、ユーザの操作部１０２からの選択操作に基づいて、いずれかの方法を設定する。
【００５５】
「第１の方法」
第１の方法の場合、制御部１０１におけるワイプ制御は、１６：９の形状で３８４０サイズの範囲内で遷移するように行われる（３８４０優先）。つまり、１６：９のアスペクト比で、３８４０領域に合わせてワイプ信号が生成される。図１６（ａ）は、その場合におけるミックス部１０５の動作および第２のビデオ形式（４０９６画素）での出力信号を示している。また、図１６（ｂ）は、その場合における第１のビデオ形式（３８４０画素）での出力信号を示している。
【００５６】
この場合、ワイプは１６：９の領域で動作させるので、３８４０画素出力に問題はない。また、４０９６画素出力は、画面の端までワイプが行き切らないうちに切り替わるので、若干の違和感がある。この違和感は、トランジション時間が長く、ワイプがゆっくり動く方が顕著となる。
【００５７】
「第２の方法」
第２の方法の場合、制御部１０１におけるワイプ制御は、１６：９の形状で４０９６サイズの範囲内で遷移するように行われる（両立）。つまり、１６：９のアスペクト比で、４０９６領域に合わせてワイプ信号が生成される。図１７（ａ）は、その場合におけるミックス部１０５の動作および第２のビデオ形式（４０９６画素）での出力信号を示している。また、図１７（ｂ）は、その場合における第１のビデオ形式（３８４０画素）での出力信号を示している。
【００５８】
この場合、４０９６画素出力は、ワイプと画面のアスペクト比が異なるので、ワイプが大きくなると（特に、四角ワイプで（３）の場合など）、違和感がある。この違和感は、トランジション時間が長く、ワイプがゆっくり動く方が顕著となる。３８４０画素出力の方は、特に違和感がなく、画面が切り替わる。
【００５９】
「第３の方法」
第３の方法の場合、制御部１０１におけるワイプ制御は、１７：９（正確には、１７．０６６７：９）の形状で４０９６サイズの範囲内で遷移するように行われる（４０９６ネイティブ）。つまり、１７：９のアスペクト比で、４０９６領域に合わせてワイプ信号が生成される。図１８（ａ）は、その場合におけるミックス部１０５の動作および第２のビデオ形式（４０９６画素）での出力信号を示している。また、図１８（ｂ）は、その場合における第１のビデオ形式（３８４０画素）での出力信号を示している。
【００６０】
この場合、３８４０画素出力は、ワイプと画面のアスペクト比が異なるので、ワイプが大きくなると（特に、四角ワイプで（３）の場合など）、違和感がある。この違和感は、トランジション時間が長く、ワイプがゆっくり動く方が顕著となる。４０９６画素出力の方は、特に違和感がなく、画面が切り替わる。
【００６１】
図１に示すビデオデータ処理装置１００の動作を簡単に説明する。クロスポイント部１０３には、複数の４Ｋビデオデータが選択対象のビデオデータとして入力される。このクロスポイント部１０３では、ミックスすべき２つのビデオデータが選択的に取り出される。この２つのビデオデータは、ビデオ形式変換部１０４を通じて、ミックス部１０５にミックス入力Ａ，Ｂとして送られる。この際、ビデオ形式変換部１０４では、２つのビデオデータのビデオ形式が、ミックス部１０５で取り扱うビデオ形式に合わせられる。
【００６２】
ミックス部１０５には、ワイプ発生回路１０６からワイプ信号（トランジション信号Ｔ）が供給される。このミックス部１０５では、ワイプ信号に応じて、２つのビデオデータ（ミックス入力Ａ，Ｂ）がワイプによりミックスされ、出力ビデオデータが得られる。この出力ビデオデータは、ビデオ形式変換部１０７を通じて出力される。この際、ビデオ形式変換部１０７では、出力ビデオデータのビデオ形式が、例えば、ユーザが指定する出力ビデオ形式に合わせられる。
【００６３】
この場合、ビデオ形式変換部１０７からは、第１のビデオ形式（３８４０画素）のビデオデータおよび第２のビデオ形式（４０９６画素）のビデオデータのいずれか、あるいは双方が出力される。
【００６４】
以上説明したように、図１に示すビデオデータ処理装置１００においては、ミックス部１０５において２つのビデオデータ（ミックス入力Ａ，Ｂ）がミックスされる際、これら２つのビデオデータはこのミックス部１０５で取り扱うビデオ形式に合わせられる。そのため、ビデオ形式を異にするビデオデータをミックスする場合にあっても適切なミックス処理が可能となる。
【００６５】
また、図１に示すビデオデータ処理装置１００においては、ミックス部１０５で取り扱うビデオ形式として、第１のビデオ形式（３８４０画素）あるいは第２のビデオ形式（４０６画素）を任意に選択できる。そのため、出力ビデオデータとして、適切なビデオデータを得ることが可能となる。
【００６６】
図１９は、本技術のビデオデータ処理装置を適用し得るスイッチャ２００の構成例を示している。このスイッチャ２００は、制御部２０１と、クロスポイント部２０２と、Ｍ/Ｅ部２０３-1，２０３−２と、出力部２０４-1，２０４-2を有している。
【００６７】
制御部２０１は、スイッチャ２００の各部の動作を制御する。すなわち、制御部２０１は、クロスポイント部２０２のクロスポイントの切り替え、Ｍ/Ｅ部２０３-1，２０３−２のワイプ動作を含めたトランジション制御、Ｍ/Ｅ部２０３-1，２０３−２のキー信号発生回路制御と合成の制御、出力部２０４-1，２０４-2の制御を行う。
【００６８】
クロスポイント部２０２は、複数の４Ｋビデオデータから、Ｍ/Ｅ部２０３-1，２０３-2の入力ビデオデータ、出力部２０４-1，２０４-2の入力ビデオデータを取り出す。出力部２０４-1，２０４-2は、ビデオ形式変換部を備えており、クロスポイント部２０２からの４Ｋビデオデータを、指定されたビデオ形式に合わせて出力する。図示の例では、出力部２０４-1は第１のビデオ形式（３８４０画素）のビデオデータを出力し、出力部２０４-2は第２のビデオ形式（４０９６画素）のビデオデータを出力する。
【００６９】
Ｍ/Ｅ部２０３-1，２０３-2は、２つ以上の４Ｋ入力と、１つ以上の４Ｋ出力を持っている。図示の例では、Ｍ/Ｅ部２０３-1は第１のビデオ形式（３８４０画素）のビデオデータを出力し、Ｍ/Ｅ部２０３-2は第２のビデオ形式（４０９６画素）のビデオデータを出力する。
【００７０】
図２０は、Ｍ/Ｅ部２０３（２０３-1，２０３-2）の構成例を示している。このＭ/Ｅ部２０３は、入力ビデオデータとしての、キーフィル信号１，２、キーソース信号１，２、バックグランド信号Ａ，Ｂを、指定されたビデオ形式（画素数）に変換する変換部２０３ａを有している。
【００７１】
また、このＭ/Ｅ部２０３は、キーフィル信号１，２およびキーソース信号１，２を調整加工するキープロセッサ２０３ｂ１，２０３ｂ２と、指定された画素数に対応するワイプ信号を発生するワイプ発生回路２０３ｃと、各信号、つまり合成する画像およびキー信号の位相合わせを行うためのタイムベースコレクタ２０３ｄを有している。また、このＭ/Ｅ部２０３は、キーフィル信号１，２およびキーソース信号１，２を用いて、キーイングによって背景画像に前景画像を重畳すると共に、ワイプ信号に基づいて背景画像のトランジションを行って、指定された画素数に対応するプログラム出力やプレビュー出力を行うミックス部２０３ｅを有している。
【００７２】
＜２．変形例＞
なお、上述していないが、ビデオデータが４分割４Ｋモードのビデオデータである場合にも、上述実施の形態と同様に構成することができる。図２１は、その場合におけるビデオデータ処理装置１００Ａの構成例を示している。この図２１において、図１と対応する部分には同一符号を付して示している。
【００７３】
ここで、４分割４Ｋモードのビデオデータについて説明する。このビデオデータの規格としては、例えば、スクエア・デビジョン（Square Division）規格と、２サンプル・インターリーブ・デビジョン（2-Sample Interleave Division）規格が知られている。
【００７４】
最初に、スクエア・デビジョン規格について説明する。このスクエア・デビジョン規格の場合、図２２（ａ）に示すように、４Ｋのビデオフレームが水平、垂直のそれぞれに２等分されて、４個の分割ビデオフレーム、すなわち、サブイメージ（Sub Image）１〜４が得られる。
【００７５】
次に、２サンプル・インターリーブ・デビジョン規格について説明する。この２サンプル・インターリーブ・デビジョン規格の場合、図２２（ｂ）に示すように、偶数ラインで２画素（２サンプル）ずつ交互に取り出されて、２個の分割ビデオフレーム、すなわち、サブイメージ（Sub Image）１，２が得られる。また、この２サンプル・インターリーブ・デビジョン規格の場合、奇数ラインで２画素（２サンプル）ずつ交互に取り出されて、２個の分割ビデオフレーム、すなわち、サブイメージ（Sub Image）３，４が得られる。
【００７６】
図２１に示すビデオデータ処理装置１００Ａのビデオ形式変換部１０４、ミックス部１０５およびビデオ形式変換部１０７では、４分割４Ｋモードのビデオデータを構成する４個のサブイメージのビデオデータがそれぞれ独立して処理される。
【００７７】
図２３は、ビデオデータがスクエア・デビジョン規格である場合における、第１のビデオ形式（３８４０画素）と第２のビデオ形式（４０９６画素）との間の画素数変換の概要を示している。第１のビデオ形式（３８４０画素）から第２のビデオ形式（４０９６画素）への変換は、図２３（ａ）に示すように、サブイメージ１，３に関しては左サイドに別の画素を付加することで２０４８画素化され、サブイメージ２，４に関しては右サイドに別の画素を付加することで２０４８画素化される。
【００７８】
また、第２のビデオ形式（４０９６画素）から第１のビデオ形式（３８４０画素）への変換は、図２３（ｂ）に示すように、サブイメージ１，３に関しては左サイドを切り捨てることで１９２０画素化され、サブイメージ２，４に関しては右サイドを切り捨てることで１９２０画素化される。
【００７９】
図２４は、ビデオデータが２サンプル・インターリーブ・デビジョン規格である場合における、第１のビデオ形式（３８４０画素）と第２のビデオ形式（４０９６画素）との間の画素数変換の概要を示している。第１のビデオ形式（３８４０画素）から第２のビデオ形式（４０９６画素）への変換は、図２４（ａ）に示すように、各サブイメージに関して両サイドに別の画素を付加することで２０４８画素化される。また、第２のビデオ形式（４０９６画素）から第１のビデオ形式（３８４０画素）への変換は、図２４（ｂ）に示すように、各サブイメージに関して両サイドを切り捨てることで１９２０画素化される。
【００８０】
図２５は、サブイメージで使用する１１２５ラインの信号の基本構造を示している。２０４８画素の場合は、１９２０画素の場合に比べて、１２８（＝２０４８−１９２０）サンプル分だけＥＡＶとＳＡＶの間隔が狭くなる。また、図示の例は、映像が６０Ｈｚの場合を示しているが、映像が５０Ｈｚの場合は、１ラインのサンプル数は２６４０（＝２２００＊１１２５＊６０）/（１１２５＊５０））となり、ＥＡＶとＳＡＶの間隔が広くなる。
【００８１】
１０ライン目にビデオ形式を示す識別子（ＩＤ）であるペイロードＩＤ（Payload ID）が付加されている。映像は７ライン目（Switching Point）で切り替えられるので、１０ライン目にあるペイロードＩＤを読み取ることで、切り替え後にその画素数を検出することができる。なお、ペイロードＩＤがない、あるいは検出できない場合は、ＥＡＶとＳＡＶの間隔を計測することでも画素数を検出可能である。
【００８２】
また、本技術は、以下のような構成を取ることもできる。
（１）第１のビデオデータおよび第２のビデオデータを入力するビデオデータ入力部と、
上記ビデオデータ入力部で入力された上記第１のビデオデータおよび上記第２のビデオデータをミックスして出力ビデオデータを得るミックス部と、
上記ビデオデータ入力部と上記ミックス部との間に配置され、上記ミックス部に入力される上記第１のビデオデータおよび上記第２のビデオデータのビデオ形式を上記ミックス部で取り扱うビデオ形式に合わせる第１のビデオ形式変換部と、
上記ミックス部の出力側に配置され、上記ミックス部から出力された出力ビデオデータのビデオ形式を、出力ビデオ形式に合わせる第２のビデオ形式変換部とを備える
ビデオデータ処理装置。
（２）上記第１のビデオデータおよび上記第２のビデオデータは、それぞれ、垂直画素数が第１の値であって水平画素数が第２の値である第１のビデオ形式あるいは垂直画素数が上記第１の値であって水平画素数が第３の値である第２のビデオ形式のビデオデータであり、
上記ミックス部は、上記第１のビデオ形式または上記第２のビデオ形式を取り扱い、
上記出力ビデオ形式は、上記第１のビデオ形式あるいは上記第２のビデオ形式である
前記（１）に記載のビデオデータ処理装置。
（３）上記第１の値は２１６０であり、上記第２の値は３８４０であり、上記第３の値は４０９６である
前記（２）に記載のビデオデータ処理装置。
（４）上記ビデオデータは、４分割４Ｋモードのビデオデータである
前記（３）に記載のビデオデータ処理装置。
（５）上記ミックス部は、
上記第１のビデオデータおよび上記第２のビデオデータをワイプによりミックスする
前記（３）または（４）に記載のビデオデータ処理装置。
（６）上記ミックス部が上記第１のビデオ形式を取り扱うとき、ワイプ制御は、１６：９の形状で３８４０サイズの範囲内で遷移する
前記（５）に記載のビデオデータ処理装置。
（７）上記ミックス部が上記第２のビデオ形式を取り扱うとき、ワイプ制御は、１６：９の形状で３８４０サイズの範囲内で遷移するか、１６：９の形状で４０９６サイズの範囲内で遷移するか、あるいは１７：９の形状で４０９６サイズの範囲内で遷移する
前記（５）に記載のビデオデータ処理装置。
（８）上記第１のビデオデータおよび上記第２のビデオデータのそれぞれのビデオ形式情報に基づいて、上記第１のビデオ形式変換部における上記第１のビデオデータおよび上記第２のビデオデータに対する変換動作を制御する制御部をさらに備える
前記（１）から（７）のいずれかに記載のビデオデータ処理装置。
（９）上記制御部は、上記第１のビデオデータおよび上記第２のビデオデータのそれぞれのビデオ形式を検出する検出部から、上記第１のビデオデータおよび上記第２のビデオデータのそれぞれのビデオ形式情報を取得する
前記（８）に記載のビデオデータ処理装置。
（１０）上記ビデオデータ入力部は、複数のビデオデータから上記第１のビデオデータおよび上記第２のビデオデータを選択的に取り出すクロスポイント部を有し、
上記制御部は、上記複数のビデオデータのそれぞれのビデオ形式情報を持つテーブルから、上記第１のビデオデータおよび上記第２のビデオデータのそれぞれのビデオ形式情報を取得する
前記（８）に記載のビデオデータ処理装置。
（１１）第１のビデオデータおよび第２のビデオデータにミックス処理を施して、出力ビデオデータを得るビデオデータ処理方法であって、
上記ミックス処理を施す前に、上記第１のビデオデータおよび上記第２のビデオデータの形式を上記ミックス処理で取り扱うビデオ形式に合わせ、
上記ミックス処理を施した後に、上記出力ビデオデータを出力ビデオ形式に合わせる
ビデオデータ処理方法。
（１２）第１のビデオデータおよび第２のビデオデータを入力するビデオデータ入力部と、
上記ビデオデータ入力部で入力された上記第１のビデオデータおよび上記第２のビデオデータをミックスして出力ビデオデータを得るミックス部と、
上記ビデオデータ入力部と上記ミックス部との間に配置され、上記ミックス部に入力される上記第１のビデオデータおよび上記第２のビデオデータのビデオ形式を上記ミックス部で取り扱うビデオ形式に合わせるビデオ形式変換部とを備える
ビデオデータ処理装置。
【符号の説明】
【００８３】
１００，１００Ａ・・・ビデオデータ処理装置
１０１・・・制御部
１０１ａ・・・テーブル
１０２・・・操作部
１０３・・・クロスポイント部
１０４・・・ビデオ形式変換部
１０５・・・ミックス部
１０５ａ・・・減算器
１０５ｂ・・・乗算器
１０５ｃ・・・加算器
１０６・・・ワイプ発生回路
１０７・・・ビデオ形式変換部
１０８Ａ，１０８Ｂ，１１０，１１１・・・検出部
１０９・・・バス
２００・・・スイッチャ
２０１・・・制御部
２０２・・・クロスポイント部
２０３，２０３-1，２０３-2・・・Ｍ/Ｅ部
２０３ａ・・・ビデオ形式変換部
２０３ｂ１，２０３ｂ２・・・キープロセッサ
２０３ｃ・・・ワイプ発生回路
２０３ｄ・・・タイムベースコレクタ
２０３ｅ・・・ミックス部
【図１】
0006536585.tif 000002
【図２】
0006536585.tif 000003
【図３】
0006536585.tif 000004
【図４】
0006536585.tif 000005
【図５】
0006536585.tif 000006
【図６】
0006536585.tif 000007
【図７】
0006536585.tif 000008
【図８】
0006536585.tif 000009
【図９】
0006536585.tif 000010
【図１０】
0006536585.tif 000011
【図１１】
0006536585.tif 000012
【図１２】
0006536585.tif 000013
【図１３】
0006536585.tif 000014
【図１４】
0006536585.tif 000015
【図１５】
0006536585.tif 000016
【図１６】
0006536585.tif 000017
【図１７】
0006536585.tif 000018
【図１８】
0006536585.tif 000019
【図１９】
0006536585.tif 000020
【図２０】
0006536585.tif 000021
【図２１】
0006536585.tif 000022
【図２２】
0006536585.tif 000023
【図２３】
0006536585.tif 000024
【図２４】
0006536585.tif 000025
【図２５】
0006536585.tif 000026